(57)【要約】  本発明に係る移動通信方法は、無線基地局２００の使用周波数を設定する使用周波数設定方法であって、無線基地局２００が、各周辺無線基地局２０１乃至２０３によって送信された共通制御信号の受信電力レベルを測定する工程Ａと、測定した共通制御信号の受信電力レベルの各々と所定閾値とを比較し、所定閾値を上回る受信電力レベルを有する共通制御信号の周波数を除外した使用周波数候補の中から、無線基地局２００の使用周波数を決定する工程Ｂと有する。
2009145213.tif 000002
【特許請求の範囲】
【請求項１】
無線基地局の使用周波数を設定する使用周波数設定方法であって、
前記無線基地局が、各周辺無線基地局によって送信された共通制御信号の受信電力レベルを測定する工程Ａと、
測定した前記共通制御信号の受信電力レベルの各々と所定閾値とを比較し、該所定閾値を上回る受信電力レベルを有する共通制御信号の周波数を除外した使用周波数候補の中から、前記無線基地局の使用周波数を決定する工程Ｂと有することを特徴とする移動通信方法。
【請求項２】
前記工程Ｂにおいて、前記所定閾値を上回る受信電力レベルを有する共通制御信号の周波数を除外した使用周波数候補の中から、最も多くの無線基地局が使用している周波数を、前記無線基地局の使用周波数として決定することを特徴とする請求項１に記載の移動通信方法。
【請求項３】
前記工程Ｂにおいて、前記所定閾値を上回る受信電力レベルを有する共通制御信号の周波数を除外した使用周波数候補の中から、最も優先度が高い周辺無線基地局の使用周波数を、前記無線基地局の使用周波数として決定することを特徴とする請求項１に記載の移動通信方法。
【請求項４】
前記工程Ｂにおいて、接続可能な移動局数に基づいて、周辺無線基地局の優先度を決定することを特徴とする請求項３に記載の移動通信方法。
【請求項５】
前記工程Ｂにおいて、前記所定閾値以下の受信電力レベルを有する共通制御信号の周波数が存在しない場合、該所定閾値を上回る受信電力レベルを有する共通制御信号の周波数毎の最大受信電力レベルに基づいて、該最大受信電力レベルが最小の周波数を、前記無線基地局の使用周波数として決定することを特徴とする請求項１に記載の移動通信方法。
【請求項６】
無線基地局の使用周波数を設定するように構成されているネットワーク装置であって、
無線基地局によって通知された各周辺無線基地局によって送信された共通制御信号の受信電力レベルの各々と所定閾値とを比較し、該所定閾値を上回る受信電力レベルを有する共通制御信号の周波数を除外した使用周波数候補の中から、前記無線基地局の使用周波数を決定するように構成されている使用周波数決定部を具備することを特徴とするネットワーク装置。
【請求項７】
前記使用周波数決定部は、前記所定閾値を上回る受信電力レベルを有する共通制御信号の周波数を除外した使用周波数候補の中から、最も多くの無線基地局が使用している周波数を、前記無線基地局の使用周波数として決定するように構成されていることを特徴とする請求項６に記載のネットワーク装置。
【請求項８】
前記使用周波数決定部は、前記所定閾値を上回る受信電力レベルを有する共通制御信号の周波数を除外した使用周波数候補の中から、最も優先度が高い周辺無線基地局の使用周波数を、前記無線基地局の使用周波数として決定するように構成されていることを特徴とする請求項６に記載のネットワーク装置。
【請求項９】
前記使用周波数決定部は、接続可能な移動局数に基づいて、周辺無線基地局の優先度を決定するように構成されていることを特徴とする請求項８に記載のネットワーク装置。
【請求項１０】
前記使用周波数決定部は、前記所定閾値以下の受信電力レベルを有する共通制御信号の周波数が存在しない場合、該所定閾値を上回る受信電力レベルを有する共通制御信号の周波数毎の最大受信電力レベルに基づいて、該最大受信電力レベルが最小の周波数を、前記無線基地局の使用周波数として決定するように構成されていることを特徴とする請求項６に記載のネットワーク装置。
【請求項１１】
使用周波数を設定するように構成されている無線基地局であって、
各周辺無線基地局によって送信された共通制御信号の受信電力レベルを測定するように構成されている測定部と、
測定した前記共通制御信号の受信電力レベルの各々と所定閾値とを比較し、該所定閾値を上回る受信電力レベルを有する共通制御信号の周波数を除外した使用周波数候補の中から、前記無線基地局の使用周波数を決定するように構成されていることを特徴とする無線基地局。
【請求項１２】
前記使用周波数決定部は、前記所定閾値を上回る受信電力レベルを有する共通制御信号の周波数を除外した使用周波数候補の中から、最も多くの無線基地局が使用している周波数を、前記無線基地局の使用周波数として決定するように構成されていることを特徴とする請求項１１に記載の無線基地局。
【請求項１３】
前記使用周波数決定部は、前記所定閾値を上回る受信電力レベルを有する共通制御信号の周波数を除外した使用周波数候補の中から、最も優先度が高い周辺無線基地局の使用周波数を、前記無線基地局の使用周波数として決定するように構成されていることを特徴とする請求項１１に記載の無線基地局。
【請求項１４】
前記使用周波数決定部は、接続可能な移動局数に基づいて、周辺無線基地局の優先度を決定するように構成されていることを特徴とする請求項１３に記載の無線基地局。
【請求項１５】
前記使用周波数決定部は、前記所定閾値以下の受信電力レベルを有する共通制御信号の周波数が存在しない場合、該所定閾値を上回る受信電力レベルを有する共通制御信号の周波数毎の最大受信電力レベルに基づいて、該最大受信電力レベルが最小の周波数を、前記無線基地局の使用周波数として決定するように構成されていることを特徴とする求項１１に記載の無線基地局。
【発明の詳細な説明】
【技術分野】
【０００１】
本発明は、無線基地局の使用周波数を設定する使用周波数設定方法、ネットワーク装置及び無線基地局に関する。
【背景技術】
【０００２】
一般的に、移動通信システムでは、不規則に発生する移動局からの通信開始要求におけるサービス品質要求に応えるために、公衆通信用無線基地局の建設前に、サービスエリア（カバーエリア）及びトラヒックを予測して、当該公衆通信用無線基地局の設置位置や構成や下り共通制御信号の送信電力レベルといった無線通信用パラメータをシミュレーション等の手段により机上設計し、当該公衆通信用無線基地局の建設後に、定期的にサービスエリアや通信品質やシステム容量の実測確認や維持管理等を行う煩雑なセル・システム設計/評価作業が必要である。【０００３】
これらは、公衆通信用無線基地局についての運用であるが、ホーム無線基地局（Ｈｏｍｅ  ｅＮＢ）と呼ばれるような家庭等の小規模なエリアに設置される無線基地局についても、基本的に、公衆通信用無線基地局と同様の運用が行われることが予想される。
【発明の概要】
【発明が解決しようとする課題】
【０００４】
しかしながら、ホーム無線基地局は、家庭等の小規模なエリアに柔軟に設置されため、上述の公衆通信用無線基地局と比べて非常に多く設置されることが予想され、上述のセル・システム設計/評価作業に多大な労力が費やされることになるという問題点がある。【０００５】
また、マンション等の各世帯が密集するエリアでは、同様に、ホーム無線基地局も密集して設置されることが予想され、上述のセル・システム設計/評価が非常に複雑になるという問題点がある。【０００６】
なお、ホーム無線基地局における使用周波数の選択については、周辺無線基地局によって送信される無線信号の周波数と異なる周波数を用いることにより、干渉回避の効果を期待できる一方、周辺無線基地局によって送信される無線信号の周波数と同一の周波数を用いることにより、周波数切替えによる移動局の接続遅延の防止や移動局での異周波数スキャン処理の省略による移動局の消費電力を削減する効果も期待できる。【０００７】
そこで、本発明は、上述の課題に鑑みてなされたものであり、周辺状況を考慮して、各無線基地局の使用周波数を適切に且つ自律的に設定することができる使用周波数設定方法、ネットワーク装置及び無線基地局を提供することを目的とする。
【課題を解決するための手段】
【０００８】
本発明の第１の特徴は、無線基地局の使用周波数を設定する使用周波数設定方法であって、前記無線基地局が、各周辺無線基地局によって送信された共通制御信号の受信電力レベルを測定する工程Ａと、測定した前記共通制御信号の受信電力レベルの各々と所定閾値とを比較し、該所定閾値を上回る受信電力レベルを有する共通制御信号の周波数を除外した使用周波数候補の中から、前記無線基地局の使用周波数を決定する工程Ｂと有することを要旨とする。【０００９】
本発明の第１の特徴において、前記工程Ｂにおいて、前記所定閾値を上回る受信電力レベルを有する共通制御信号の周波数を除外した使用周波数候補の中から、最も多くの無線基地局が使用している周波数を、前記無線基地局の使用周波数として決定してもよい。【００１０】
本発明の第１の特徴において、前記工程Ｂにおいて、前記所定閾値を上回る受信電力レベルを有する共通制御信号の周波数を除外した使用周波数候補の中から、最も優先度が高い周辺無線基地局の使用周波数を、前記無線基地局の使用周波数として決定してもよい。【００１１】
本発明の第１の特徴において、前記工程Ｂにおいて、接続可能な移動局数に基づいて、周辺無線基地局の優先度を決定してもよい。【００１２】
本発明の第１の特徴において、前記工程Ｂにおいて、前記所定閾値以下の受信電力レベルを有する共通制御信号の周波数が存在しない場合、該所定閾値を上回る受信電力レベルを有する共通制御信号の周波数毎の最大受信電力レベルに基づいて、該最大受信電力レベルが最小の周波数を、前記無線基地局の使用周波数として決定してもよい。【００１３】
本発明の第２の特徴は、無線基地局の使用周波数を設定するように構成されているネットワーク装置であって、無線基地局によって通知された各周辺無線基地局によって送信された共通制御信号の受信電力レベルの各々と所定閾値とを比較し、該所定閾値を上回る受信電力レベルを有する共通制御信号の周波数を除外した使用周波数候補の中から、前記無線基地局の使用周波数を決定するように構成されている使用周波数決定部を具備することを要旨とする。【００１４】
本発明の第２の特徴において、前記使用周波数決定部は、前記所定閾値を上回る受信電力レベルを有する共通制御信号の周波数を除外した使用周波数候補の中から、最も多くの無線基地局が使用している周波数を、前記無線基地局の使用周波数として決定するように構成されていてもよい。【００１５】
本発明の第２の特徴において、前記使用周波数決定部は、前記所定閾値を上回る受信電力レベルを有する共通制御信号の周波数を除外した使用周波数候補の中から、最も優先度が高い周辺無線基地局の使用周波数を、前記無線基地局の使用周波数として決定するように構成されていてもよい。【００１６】
本発明の第２の特徴において、前記使用周波数決定部は、接続可能な移動局数に基づいて、周辺無線基地局の優先度を決定するように構成されていてもよい。【００１７】
本発明の第２の特徴において、前記使用周波数決定部は、前記所定閾値以下の受信電力レベルを有する共通制御信号の周波数が存在しない場合、該所定閾値を上回る受信電力レベルを有する共通制御信号の周波数毎の最大受信電力レベルに基づいて、該最大受信電力レベルが最小の周波数を、前記無線基地局の使用周波数として決定するように構成されていてもよい。【００１８】
本発明の第３の特徴は、使用周波数を設定するように構成されている無線基地局であって、各周辺無線基地局によって送信された共通制御信号の受信電力レベルを測定するように構成されている測定部と、測定した前記共通制御信号の受信電力レベルの各々と所定閾値とを比較し、該所定閾値を上回る受信電力レベルを有する共通制御信号の周波数を除外した使用周波数候補の中から、前記無線基地局の使用周波数を決定するように構成されていることを要旨とする。【００１９】
本発明の第３の特徴において、前記使用周波数決定部は、前記所定閾値を上回る受信電力レベルを有する共通制御信号の周波数を除外した使用周波数候補の中から、最も多くの無線基地局が使用している周波数を、前記無線基地局の使用周波数として決定するように構成されていてもよい。【００２０】
本発明の第３の特徴において、前記使用周波数決定部は、前記所定閾値を上回る受信電力レベルを有する共通制御信号の周波数を除外した使用周波数候補の中から、最も優先度が高い周辺無線基地局の使用周波数を、前記無線基地局の使用周波数として決定するように構成されていてもよい。【００２１】
本発明の第３の特徴において、前記使用周波数決定部は、接続可能な移動局数に基づいて、周辺無線基地局の優先度を決定するように構成されていてもよい。【００２２】
本発明の第３の特徴において、前記使用周波数決定部は、前記所定閾値以下の受信電力レベルを有する共通制御信号の周波数が存在しない場合、該所定閾値を上回る受信電力レベルを有する共通制御信号の周波数毎の最大受信電力レベルに基づいて、該最大受信電力レベルが最小の周波数を、前記無線基地局の使用周波数として決定するように構成されていてもよい。
【発明の効果】
【００２３】
以上説明したように、本発明によれば、周辺状況を考慮して、各無線基地局の使用周波数を適切に且つ自律的に設定することができる使用周波数設定方法、ネットワーク装置及び無線基地局を提供することができる。
【図面の簡単な説明】
【００２４】
【図１】図１は、本発明の第１の実施形態に係る移動通信システムの全体構成図である。
【図２】図２は、本発明の第１の実施形態に係る無線制御装置の機能ブロック図である。
【図３】図３は、本発明の第１の実施形態に係る無線制御装置の周波数情報記憶部によって管理されている周波数情報の一例を示す図である。
【図４】図４は、本発明の第１の実施形態に係る移動通信システムの動作を示すシーケンス図である。
【図５】図５は、本発明の第１の実施形態に係る無線制御装置によって無線基地局の使用周波数を決定する動作について示すフローチャートである。
【図６】図６は、本発明の変更例１に係る移動通信システムの全体構成図である。
【発明を実施するための形態】
【００２５】
（本発明の第１の実施形態に係る移動通信システムの構成）
図１乃至図３を参照して、本発明の第１の実施形態に係る移動通信システムの構成について説明する。
【００２６】
図１に示すように、本実施形態に係る移動通信システムは、無線制御装置（ネットワーク装置）１００と、セキュリティ装置ＳＧＷ（Ｓｅｃｕｒｉｔｙ  Ｇａｔｅｗａｙ）４００と、無線基地局２００乃至２０３とを具備している。
【００２７】
ここで、無線基地局２００乃至２０３は、無線制御装置１００に収容されている。また、無線制御装置１００は、無線基地局２００乃至２０３に対して、かかる無線基地局２００乃至２０３と移動局３００との間の無線通信で用いられる無線通信用パラメータの割り当てたり、当該無線通信用パラメータを管理したりするように構成されている。
【００２８】
なお、無線基地局２０２及び２０３は、移動通信事業者によって管理されている移動通信事業者ネットワークに設置されている公衆通信用無線基地局であり、移動通信事業者のユーザの移動局であれば、とりわけ制限なく、無線基地局２０２及び２０３に接続することができる。
【００２９】
無線基地局２００及び２０１は、移動通信事業者によって提供されている通信サービスに加入しているユーザ（無線基地局２００及び２０１のオーナー）の管理下にあるホーム無線基地局である。
【００３０】
例えば、無線基地局２００及び２０１は、上述のユーザによって管理されているＬＡＮ（Ｌｏｃａｌ  Ａｒｅａ  Ｎｅｔｗｏｒｋ）内に設置され、ＦＴＴＨやＡＤＳＬアクセス用事業者のネットワークを介して、移動通信事業者ネットワーク上の無線制御装置１００に接続される。
【００３１】
また、無線基地局２００及び無線基地局２０１は、各々異なるユーザによって所有されており、各オーナーの移動局は、他方の無線基地局に対するアクセス権が与えられていないものとする。
【００３２】
一方、ＳＧＷ４００は、移動通信事業者ネットワークの境界線上に設置されている。かかるＳＧＷ４００は、他のネットワークからの不正なアクセスから移動通信事業者ネットワークを守るためのゲートウェイ装置であり、認証手順により正規と認められたアクセスのみを移動通信事業者ネットワークに通すように構成されている。
【００３３】
図２に示すように、無線制御装置（ネットワーク装置）１００は、周波数情報受信部１１と、周波数情報記憶部１２と、使用周波数決定部１３と、通知部１４とを具備している。
【００３４】
周波数情報受信部１１は、無線基地局から、各周辺無線基地局によって送信された共通制御信号の受信電力レベルの測定結果を含む周波数情報を受信するように構成されている。
【００３５】
周波数情報記憶部１２は、周波数情報受信部１１によって受信された周波数情報を記憶するように構成されている。
【００３６】
例えば、周波数情報記憶部１２は、図３に示すように、無線基地局毎に、「周辺無線基地局ＩＤ」と「周波数」と「受信電力レベル」とを関連付けて記憶するように構成されている。
【００３７】
「周波数」は、「周辺無線基地局ＩＤ」によって特定される無線基地局において共通制御信号の送信に用いられている周波数を示す情報であり、「受信電力レベル」は、「周辺無線基地局ＩＤ」によって特定される無線基地局によって送信された共通制御信号の当該無線基地局における受信電力レベルを示す情報である。
【００３８】
使用周波数決定部１３は、無線基地局の使用周波数を決定するように構成されている。
【００３９】
具体的には、使用周波数決定部１３は、周波数情報記憶部１２によって管理されている共通制御信号の受信電力レベルの各々と所定閾値とを比較し、所定閾値を上回る受信電力レベルを有する共通制御信号の周波数を除外した使用周波数候補の中から、当該無線基地局の使用周波数を決定するように構成されている。
【００４０】
また、使用周波数決定部１３は、所定閾値を上回る受信電力レベルを有する共通制御信号の周波数を除外した使用周波数候補の中から、最も多くの無線基地局が使用している周波数を、当該無線基地局の使用周波数として決定するように構成されていてもよい。
【００４１】
また、使用周波数決定部１３は、所定閾値を上回る受信電力レベルを有する共通制御信号の周波数を除外した使用周波数候補の中から、最も優先度が高い周辺無線基地局の使用周波数を、当該無線基地局の使用周波数として決定するように構成されていてもよい。
【００４２】
ここで、使用周波数決定部１３は、接続可能な移動局数に基づいて、周辺無線基地局の優先度を決定するように構成されていてもよい。
【００４３】
さらに、使用周波数決定部１３は、所定閾値以下の受信電力レベルを有する共通制御信号の周波数が存在しない場合、所定閾値を上回る受信電力レベルを有する共通制御信号の周波数毎の最大受信電力レベルに基づいて、最大受信電力レベルが最小の周波数を、当該無線基地局の使用周波数として決定するように構成されていてもよい。
【００４４】
通知部１４は、使用周波数決定部１３によって決定された無線基地局の使用周波数を、当該無線基地局に通知するように構成されている。
【００４５】
（本発明の第１の実施形態に係る移動通信システムの動作）
図４及び図５を参照して、本発明の第１の実施形態に係る移動通信システムの動作、具体的には、運用中の無線基地局２０１乃至２０３のカバーエリア（サービスエリア）に隣接するカバーエリアを有する無線基地局２００が新たに設置される場合の無線基地局２００の使用周波数を設定する動作について説明する。
【００４６】
なお、本動作は、無線基地局２００が新たに設置された場合について説明しているが、運用中の無線基地局における使用周波数を自動的に更新する場合についても適用可能である。
【００４７】
図４に示すように、ステップＳ１０００において、新たに設置された無線基地局２００は、周辺無線基地局によって送信されている共通制御信号の受信を試みる。
【００４８】
ステップＳ１００１において、無線基地局２００は、無線基地局２０１乃至２０３によって送信されている共通制御信号を受信する。
【００４９】
無線基地局２００は、ステップＳ１００２において、無線基地局２０１乃至２０３によって送信されている共通制御信号の受信電力レベルを測定し、ステップＳ１００３において、当該共通制御信号の周波数及び当該共通制御信号の受信電力レベルの測定結果を含む周波数情報を、無線制御装置１００に通知する。
【００５０】
ステップＳ１００４において、無線制御装置１００は、受信した周波数情報を、図４に示す無線基地局２００用のデータベース（周波数情報記憶部１２）に格納する。
【００５１】
ステップＳ１００５において、無線制御装置１００は、無線基地局２００用のデータベースを参照して、無線基地局２００の使用周波数を決定する。
【００５２】
ステップＳ１００６において、無線制御装置１００は、決定した無線基地局２００の使用周波数を、無縁基地局２００に対して通知し、ステップＳ１００７において、無線基地局２００は、通知された使用周波数を設定する。
【００５３】
ここで、図５を参照して、ステップＳ１００５における無線基地局２００の使用周波数を決定する動作について説明する。ここで、無線基地局２００用のデータベースとして、図４に示す周波数情報が格納されているものとする。
【００５４】
無線制御装置１００は、ステップＳ１０１において、未選択の周波数が存在すると判断した場合、ステップＳ１０２において、未選択の周波数の中から、１つの周波数を選択する。
【００５５】
無線制御装置１００は、ステップＳ１０３において、選択した周波数を用いている周辺無線基地局の中から、未選択の周辺無線基地局が存在すると判断した場合、ステップＳ１０４において、１つの周辺無線基地局を選択する。
【００５６】
ステップＳ１０５において、無線制御装置１００は、ステップＳ１０４において選択した周辺無線基地局におけるステップＳ１０２において選択した周波数に対応する受信電力レベルと、所定閾値とを比較する。
【００５７】
ステップＳ１０６において、かかる受信電力レベルが所定閾値を下回ると判定された場合、本動作は、ステップＳ１０３に戻り、それ以外の場合、本動作は、ステップＳ１０７に進む。
【００５８】
ステップＳ１０７において、無線制御装置１００は、使用周波数候補の中から、所定閾値を上回る受信電力レベルを有する共通制御信号の周波数を除外する。
【００５９】
ステップＳ１０１〜Ｓ１０７のループによって、無線制御装置１００は、周波数情報記憶部１２によって管理されている共通制御信号の受信電力レベルの各々と所定閾値とを比較し、使用周波数候補の中から、所定閾値を上回る受信電力レベルを有する共通制御信号の周波数を除外することができる。
【００６０】
その結果、無線制御装置１００は、周波数情報記憶部１２によって管理されている共通制御信号の受信電力レベルの各々と所定閾値とを比較し、所定閾値を上回る受信電力レベルを有する共通制御信号の周波数を除外した使用周波数候補の中から、当該無線基地局の使用周波数を決定することができる。
【００６１】
一方、無線制御装置１００は、ステップＳ１０１において、未選択の周波数が存在しないと判断した場合、ステップＳ１０７において、使用周波数候補の周波数が存在するか否かについて判断する。
【００６２】
使用周波数候補の周波数が存在すると判断された場合、無線制御装置１００は、ステップＳ１０９において、未選択の使用周波数候補の周波数が存在すると判断した場合、ステップＳ１１０において、未選択の使用周波数候補の周波数の中から、１つの周波数を選択する。
【００６３】
ステップＳ１１１において、無線制御装置１００は、ステップＳ１１０において選択された周波数を用いている無線基地局の数をカウントし、本動作は、ステップＳ１０９に戻る。
【００６４】
ステップＳ１０９において、未選択の使用周波数候補の周波数が存在しないと判断された場合、無線制御装置１００は、ステップＳ１１２において、所定閾値を上回る受信電力レベルを有する共通制御信号の周波数を除外した使用周波数候補の中から、最も多くの無線基地局が使用している周波数を、当該無線基地局の使用周波数として決定する。
【００６５】
使用周波数候補の周波数が存在しないと判断された場合、無線制御装置１００は、ステップＳ１１３において、使用周波数候補から除外された周波数、すなわち、所定閾値を上回る受信電力レベルを有する共通制御信号の周波数の中から、１つの周波数を選択する。
【００６６】
ステップＳ１１４において、無線制御装置１００は、ステップＳ１１３において選択した周波数を使用している無線基地局の中から、１つの無線基地局を選択し、該無線基地局における該周波数に対応する受信レベルを取得する。
【００６７】
ステップＳ１１５において、無線制御装置１００は、当該周波数における最大受信電力を保持する。
【００６８】
ステップＳ１１３乃至Ｓ１１７のループによって、無線制御装置１００は、所定閾値を上回る受信電力レベルを有する共通制御信号の周波数毎の最大受信電力レベルを取得することができる。
【００６９】
ステップＳ１１８において、無線制御装置１００は、最大受信電力レベルが最小の周波数を、当該無線基地局の使用周波数として決定する。
【００７０】
図３の例では、無線基地局２００用の所定閾値を「−１００ｄＢｍ」とすると、ステップＳ１０７において、無線制御装置１００は、所定閾値を上回る受信電力レベルが１つでも存在する周波数Ｆ１を使用した場合に、周辺無線基地局に与える干渉電力レベル及び周辺無線基地局から被る干渉電力レベルが大きくなることを考慮して、使用周波数候補から当該周波数Ｆ１を除外する。
【００７１】
また、図３の例では、所定閾値を下回る周波数として周波数Ｆ２及びＦ３が存在するため、無線制御装置１００は、周波数Ｆ２及びＦ３のいずれを使用した場合でも、周辺無線基地局に与える干渉電力レベル及び周辺無線基地局から被る干渉電力レベルは問題にならないと判断し、周波数切替えによる移動局の接続遅延の防止や移動局での異周波数スキャン処理の省略による移動局の消費電力を削減する効果を期待して、ステップＳ１１２において、無線基地局２００の使用周波数として、使用中の周辺無線基地局数の多い周波数Ｆ２に決定する。
【００７２】
図３の例では、周波数Ｆ２及び周波数Ｆ３を使用中の周辺無線局数は共に「２」であるが、周波数Ｆ３を使用中の周辺無線基地局の１つが無線基地局２０１であり、無線基地局２００のオーナーの保持する移動局は、無線基地局２０１に接続不可であるため、無線基地局２００に接続可能な移動局が接続可能な周辺局無線基地数は周波数Ｆ２の方が多い。
【００７３】
（本発明の第１の実施形態に係る移動通信システムの作用・効果）
本発明の第１の実施形態に係る移動通信システムによれば、移動通信事業者のユーザによって管理されているユーザ用ＬＡＮ内に設置されるホーム無線基地局において周辺無線基地局からの干渉を回避しつつ、周辺無線基地局のカバーエリアとの間で周波数の連続するカバーエリアを構築することができる。
【００７４】
（変更例１）
上述の実施形態では、Ｗ-ＣＤＭＡ方式の移動通信システムを例に挙げて説明されているが、本発明は、かかる移動通信システムに限定されるものではなく、例えば、ＬＴＥ（Ｌｏｎｇ  Ｔｅｒｍ  Ｅｖｏｌｕｔｉｏｎ）方式の移動通信システムにも適用可能である。
【００７５】
図６に示すように、本変更例１に係る移動通信システムは、交換局ＭＭＥと、セキュリティ装置ＳＧＷ（Ｓｅｃｕｒｉｔｙ  Ｇａｔｅｗａｙ）４００と、無線基地局２００乃至２０３とを具備している。
【００７６】
かかる場合、上述の無線制御装置１００の機能は、無線基地局ｅＮＢ或いは交換局ＭＭＥに搭載されることになる。すなわち、本変更例１では、無線基地局ｅＮＢ或いは交換局ＭＭＥが、上述のネットワーク装置の役割を果たすように構成されている。
【００７７】
本変更例１では、例えば、図２に示すように、無線基地局２００及び２０１の各々が、周波数情報受信部１１と、周波数情報記憶部１２と、使用周波数決定部１３と、通知部１４とを具備している。各部の機能については、上述した無線制御装置１００の各部の機能と同様である。
【００７８】
なお、上述の無線基地局２００乃至２０３や無線制御装置１００や交換局ＭＭＥの動作は、ハードウェアによって実施されてもよいし、プロセッサによって実行されるソフトウェアモジュールによって実施されてもよいし、両者の組み合わせによって実施されてもよい。
【００７９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８０】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局２００乃至２０３や無線制御装置１００や交換局ＭＭＥ内に設けられていてもよい。また、かかる記憶媒体及びプロセッサは、ディスクリートコンポーネントとして無線基地局２００乃至２０３や無線制御装置１００や交換局ＭＭＥ内に設けられていてもよい。
【００８１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図１】
2009145213.tif 000003
【図２】
2009145213.tif 000004
【図３】
2009145213.tif 000005
【図４】
2009145213.tif 000006
【図５】
2009145213.tif 000007
【図６】
2009145213.tif 000008
【国際調査報告】
2009145213.tif 000009
2009145213.tif 000010
2009145213.tif 000011